【手続補正書】
【提出日】平成17年8月10日(2005.8.10)
【手続補正１】
【補正対象書類名】明細書
【補正対象項目名】請求項７
【補正方法】変更
【補正の内容】
【請求項７】
請求項４に記載のパルス発生回路であって、
前記第１の入力信号が入力され、前記第１の入力信号を論理反転して出力する第１の反転素子と、
前記第１の入力信号が入力され、前記第１の入力信号を前記第１の反転素子の出力に遅延して出力する第１の遅延素子と、
前記第１の反転素子の出力および前記第１の遅延素子の出力が入力され、前記第１の反転素子の出力および前記第１の遅延素子の出力の論理積を論理反転して出力する第１の反転論理積素子と、
前記第１の反転論理積素子の出力および前記第２の論理値が入力され、前記第２の入力信号が与えられたときには前記第２の論理値に代わって前記第１の論理値が入力され、前記第１の反転論理積素子の出力および前記第１もしくは第２の論理値の論理積を論理反転して前記第２のパルスとして出力する第２の反転論理積素子と、
前記第１の反転素子の出力が入力され、前記第１の反転素子の出力を論理反転して出力する第２の反転素子と、
前記第１の反転素子の出力が入力され、前記第１の反転素子の出力を前記第２の反転素子の出力に遅延して出力する第２の遅延素子と、
前記第２の反転素子の出力および前記第２の遅延素子の出力が入力され、前記第２の反転素子の出力および前記第２の遅延素子の出力の論理積を論理反転して出力する第３の反転論理積素子と、
前記第３の反転論理積素子の出力および前記第２の論理値が入力され、前記第３の入力信号が与えられたときには前記第２の論理値に代わって前記第１の論理値が入力され、前記第３の反転論理積素子の出力および前記第１もしくは第２の論理値の論理積を論理反転して前記第１のパルスとして出力する第４の反転論理積素子と
を備えるパルス発生回路。
【手続補正２】
【補正対象書類名】明細書
【補正対象項目名】請求項９
【補正方法】変更
【補正の内容】
【請求項９】
請求項４に記載のパルス発生回路であって、
前記第１の入力信号が入力され、前記第１の入力信号を論理反転して出力する第１の反転素子と、
前記第１の入力信号が入力され、前記第１の入力信号を前記第１の反転素子の出力に遅延して出力する第１の遅延素子と、
前記第１の反転素子の出力および前記第１の遅延素子の出力が入力され、前記第１の反転素子の出力および前記第１の遅延素子の出力の論理積を出力する第１の論理積素子と、
前記第１の反転素子の出力が入力され、前記第１の反転素子の出力を論理反転して出力する第２の反転素子と、
前記第１の反転素子の出力が入力され、前記第１の反転素子の出力を前記第２の反転素子の出力に遅延して出力する第２の遅延素子と、
前記第２の反転素子の出力および前記第２の遅延素子の出力が入力され、前記第２の反転素子の出力および前記第２の遅延素子の出力の論理積を出力する第２の論理積素子と、
前記第２の論理積素子の出力および前記第１の論理値が入力され、前記第２の入力信号が与えられたときには前記第１の論理値に代わって前記第２の論理値が入力され、前記第２の論理積素子の出力および前記第１もしくは第２の論理値の論理積を第１の遅延量だけ遅延させつつ出力する第３の論理積素子と、
前記第１の論理値の論理反転したものおよび前記第１の論理積素子の出力が入力され、前記第２の入力信号が与えられたときには前記第１の論理値の論理反転したものに代わって前記第２の論理値の論理反転したものが入力され、前記第１の論理積素子の出力および前記第１もしくは第２の論理値の論理反転したものの論理積を前記第１の遅延量だけ遅延させつつ出力する第４の論理積素子と、
前記第３および第４の論理積素子の出力が入力され、前記第３および第４の論理積素子の出力の論理和を第２の遅延量だけ遅延させつつ前記第２のパルスとして出力し、前記第２の入力信号が与えられたときには、前記第２のパルスを前記第１のパルスと同時に出力する論理和素子と、
前記第２の論理積素子の出力が入力され、前記第２の論理積素子の出力を前記第１の遅延量だけ遅延させつつ出力する第３の遅延素子と、
前記第３の遅延素子の出力が入力され、前記第３の遅延素子の出力を前記第２の遅延量だけ遅延させつつ前記第１のパルスとして出力する第４の遅延素子と
を備えるパルス発生回路。
【手続補正３】
【補正対象書類名】明細書
【補正対象項目名】００２７
【補正方法】変更
【補正の内容】
【００２７】
請求項７に記載の発明は、請求項４に記載のパルス発生回路であって、前記第１の入力信号が入力され、前記第１の入力信号を論理反転して出力する第１の反転素子と、前記第１の入力信号が入力され、前記第１の入力信号を前記第１の反転素子の出力に遅延して出力する第１の遅延素子と、前記第１の反転素子の出力および前記第１の遅延素子の出力が入力され、前記第１の反転素子の出力および前記第１の遅延素子の出力の論理積を論理反転して出力する第１の反転論理積素子と、前記第１の反転論理積素子の出力および前記第２の論理値が入力され、前記第２の入力信号が与えられたときには前記第２の論理値に代わって前記第１の論理値が入力され、前記第１の反転論理積素子の出力および前記第１もしくは第２の論理値の論理積を論理反転して前記第２のパルスとして出力する第２の反転論理積素子と、前記第１の反転素子の出力が入力され、前記第１の反転素子の出力を論理反転して出力する第２の反転素子と、前記第１の反転素子の出力が入力され、前記第１の反転素子の出力を前記第２の反転素子の出力に遅延して出力する第２の遅延素子と、前記第２の反転素子の出力および前記第２の遅延素子の出力が入力され、前記第２の反転素子の出力および前記第２の遅延素子の出力の論理積を論理反転して出力する第３の反転論理積素子と、前記第３の反転論理積素子の出力および前記第２の論理値が入力され、前記第３の入力信号が与えられたときには前記第２の論理値に代わって前記第１の論理値が入力され、前記第３の反転論理積素子の出力および前記第１もしくは第２の論理値の論理積を論理反転して前記第１のパルスとして出力する第４の反転論理積素子とを備える。
【手続補正４】
【補正対象書類名】明細書
【補正対象項目名】００２９
【補正方法】変更
【補正の内容】
【００２９】
請求項９に記載の発明は、請求項４に記載のパルス発生回路であって、前記第１の入力信号が入力され、前記第１の入力信号を論理反転して出力する第１の反転素子と、前記第１の入力信号が入力され、前記第１の入力信号を前記第１の反転素子の出力に遅延して出力する第１の遅延素子と、前記第１の反転素子の出力および前記第１の遅延素子の出力が入力され、前記第１の反転素子の出力および前記第１の遅延素子の出力の論理積を出力する第１の論理積素子と、前記第１の反転素子の出力が入力され、前記第１の反転素子の出力を論理反転して出力する第２の反転素子と、前記第１の反転素子の出力が入力され、前記第１の反転素子の出力を前記第２の反転素子の出力に遅延して出力する第２の遅延素子と、前記第２の反転素子の出力および前記第２の遅延素子の出力が入力され、前記第２の反転素子の出力および前記第２の遅延素子の出力の論理積を出力する第２の論理積素子と、前記第２の論理積素子の出力および前記第１の論理値が入力され、前記第２の入力信号が与えられたときには前記第１の論理値に代わって前記第２の論理値が入力され、前記第２の論理積素子の出力および前記第１もしくは第２の論理値の論理積を第１の遅延量だけ遅延させつつ出力する第３の論理積素子と、前記第１の論理値の論理反転したものおよび前記第１の論理積素子の出力が入力され、前記第２の入力信号が与えられたときには前記第１の論理値の論理反転したものに代わって前記第２の論理値の論理反転したものが入力され、前記第１の論理積素子の出力および前記第１もしくは第２の論理値の論理反転したものの論理積を前記第１の遅延量だけ遅延させつつ出力する第４の論理積素子と、前記第３および第４の論理積素子の出力が入力され、前記第３および第４の論理積素子の出力の論理和を第２の遅延量だけ遅延させつつ前記第２のパルスとして出力し、前記第２の入力信号が与えられたときには、前記第２のパルスを前記第１のパルスと同時に出力する論理和素子と、前記第２の論理積素子の出力が入力され、前記第２の論理積素子の出力を前記第１の遅延量だけ遅延させつつ出力する第３の遅延素子と、前記第３の遅延素子の出力が入力され、前記第３の遅延素子の出力を前記第２の遅延量だけ遅延させつつ前記第１のパルスとして出力する第４の遅延素子とを備える。
【手続補正５】
【補正対象書類名】明細書
【補正対象項目名】００４９
【補正方法】変更
【補正の内容】
【００４９】
さて、インバータ回路Ｇ１１２の“Ｌ”の出力は、ＮＯＲ回路Ｇ１５１の一方の入力端子に入力される。このときは、先のｄｖ／ｄｔ過渡信号発生時と違い、ＮＯＲ回路Ｇ１５１のそれまでの出力“Ｌ”を“Ｈ”に変化させることはない。なぜなら、インバータ回路Ｇ１６２の出力が、先のｄｖ／ｄｔ過渡信号発生時の信号変化によって“Ｌ”から“Ｈ”の状態に移行しており、インバータ回路Ｇ１１２の出力が“Ｌ”に変化しただけでは、ＮＯＲ回路Ｇ１５１の出力に変化が起きないからである。よって、ＮＯＲ回路Ｇ１５１の出力の“Ｌ”から“Ｈ”への変化は、図２に示すように、Ｆにおける“Ｈ”から“Ｌ”への変化がさらにＮＯＲ回路Ｇ１６１およびインバータ回路Ｇ１６２の２ゲート分通過した後になってからでないと起こらない。